(57)【特許請求の範囲】
【請求項１】
透析器に接続されて血液が流通する血液回路と、上記透析器に接続されて透析液が流通する透析液回路と、当該透析液回路を透析器に向けて流通される透析液を補液として血液回路に供給する補液通路とを備え、
上記透析器に血液を流通させて血液を浄化処理するとともに、上記補液通路を介して血液に透析液を補液することの可能な血液透析装置において、
血液の浄化処理に関する表示と入力操作が可能な入力表示手段を備えるとともに、当該入力表示手段に、上記透析液回路を流通する透析液流量と、上記血液回路へ供給する補液流量を人力する設定画面を備え、
当該設定画面において、血液の処理時間を複数のステップに分割して、分割された複数のステップ毎に透析液流量と補液流量を入力可能とし、当該入力された透析液流量と補液流量を、ステップ毎に透析液流量に補液流量を重ねた図形グラフで表示するようにしたことを特徴とする血液透析装置。
【請求項２】
上記ステップ毎の図形グラフのパターンを複数記憶しておき、いずれかのパターンを選択して上記設定画面に表示可能としたことを特徴とする請求項１に記載の血液透析装置。
【請求項３】
上記図形グラフが棒グラフであることを特徴とする請求項１または請求項２に記載の血液透析装置。
【請求項４】
上記設定面面で透析液流量と補液流量を予め設定することで、血液の浄化処理中に、処理モードとしてのＨＤ（血液透析）、ＯＨＦ (オンライン血液濾過）、ＯＨＤＦ（オンライン血液透析濾過）、ＥＣＵＭ (限外濾過）を切換可能としたことを特徴とする請求項１ないし請求項３のいずれかに記載の血液透析装置。
【発明の詳細な説明】
【技術分野】
【０００１】
本発明は血液透析装置に関し、より詳しくは、透析器に供給される透析液を透析液回路から血液回路に供給する、いわゆるオンライン機能を備えた血液透析装置に関する。
【背景技術】
【０００２】
従来、血液浄化が必要な患者に対する血液浄化療法として、ＨＤ（血液透析）、ＨＦ（血液濾過）、ＨＤＦ（血液透析濾過）、ＥＣＵＭ（限外濾過）が知られている。
ＨＤ（血液透析）は、血液と透析液を透析膜を介して流し、拡散により血液中の老廃物を除去するようになっている。ＨＦ（血液濾過）は、透析液は流さず透析膜を介して、濾過により血液中の老廃物を除去するとともに、置換液を血液回路に供給するようになっている。ここで、置換液として透析液を使用する場合は、ＯＨＦ（オンライン血液濾過）として知られている。また、ＨＤＦ（血液透析濾過）は、血液と透析液を透析膜を介して流して、拡散と濾過により血液中の老廃物を除去するとともに、置換液を血液回路に供給するようになっている。つまり、上記ＨＤ（血液透析）とＨＦ（血液濾過）とを組み合わせた療法となっている。ここで、置換液として透析液を使用する場合は、ＯＨＤＦ（オンライン血液透析濾過）として知られている。さらに、ＥＣＵＭ（限外濾過）は、透析液を流さず除水のみ行うものであり、置換液も供給しないようになっている。
これらＨＤ（血液透析）、ＨＦ（血液濾過）、ＨＤＦ（血液透析濾過）、ＥＣＵＭ（限外濾過）からなる血液処理方式を、処理の途中で切換可能とした血液透析装置および血液透析装置の制御プログラムが知られている（特許文献１）。
これによれば、第１のプロセスとしてＥＣＵＭを実行し、所定時点において第２のプロセスとして、他のＨＤやＨＦまたはＨＤＦに自動的に切り換えることを特徴としている。また、置換液を血液回路に供給するＨＦやＨＤＦについては、置換液として透析液を供給するオンラインで行っても良いものとしている。
【先行技術文献】
【特許文献】
【０００３】
【特許文献１】特開２００４−４９４９３号公報
【発明の概要】
【発明が解決しようとする課題】
【０００４】
ところで、これらの血液処理方式の実行にあたっては、血液の処理に要する時間を複数のステップに分割し、個々の患者に応じて分割されたステップ毎に透析液流量および補液（置換液）流量を変化させるようにしている。これらの入力は、医療従事者が入力表示手段に設けられている設定画面で行うが、透析液流量と補液流量の入力は、それぞれ異なる画面で行わなければならず、入力作業が繁雑であるという問題があった。
また、補液（置換液）としてオンラインで透析液を透析液回路から血液回路へ供給する場合は、透析液流量のどれだけを血液回路に供給し、どれだけを透析器に供給するか、算出しながら設定しなければならず、この点においても作業が繁雑であるとともに、人為的ミスにより誤った設定を行う危険性があった。
そして、さらには特許文献１のように、処理途中に処理モードを切り換えるよう設定する場合は、各モード毎に透析液流量および補液流量を設定し、さらにどの時点でモードを切り換えるか設定しなければならず、より作業が繁雑になるという問題があった。
【課題を解決するための手段】
【０００５】
上述した事情に鑑み、本発明は、透析器に接続されて血液が流通する血液回路と、上記透析器に接続されて透析液が流通する透析液回路と、当該透析液回路を透析器に向けて流通される透析液を補液として血液回路に供給する補液通路とを備え、
上記透析器に血液を流通させて血液を浄化処理するとともに、上記補液通路を介して血液に透析液を補液することの可能な血液透析装置において、
血液の浄化処理に関する表示と入力操作が可能な入力表示手段を備えるとともに、当該入力表示手段に、上記透析液回路を流通する透析液流量と、上記血液回路へ供給する補液流量を人力する設定画面を備え、
当該設定画面において、血液の処理時間を複数のステップに分割して、分割された複数のステップ毎に透析液流量と補液流量を入力可能とし、当該入力された透析液流量と補液流量を、ステップ毎に透析液流量に補液流量を重ねた図形グラフで表示するようにしたものである。
【発明の効果】
【０００６】
このような構成によれば、医療従事者は透析液流量と補液流量の入力作業を入力表示手段の同じ設定画面で行うことができるとともに、各流量を図形グラフによって認識しながら入力することができる。そして、異なる処理モードも同じ設定画面で入力することができる。したがって、従来と比較して医療従事者の作業負担を大幅に軽減することができるとともに、人為的な設定ミスを防止することができる。
【図面の簡単な説明】
【０００７】
【図１】本発明の一実施例を示す血液透析装置の正面図。
【図２】図１の血液透析装置の液回路構成図。
【図３】設定画面の一例を示す図。
【図４】パターン選択画面を示す図。
【図５】設定画面の他の例を示す図。
【発明を実施するための形態】
【０００８】
以下、図示実施例について本発明を説明すると、図１は血液浄化を行う血液透析装置１の外観を示し、図２は血液透析装置１の液回路構成を示している。この血液透析装置１は、本体部１Ａ内に設けた制御手段１Ｂによって作動を制御されるようになっており、液回路に備えられる各電磁弁やポンプの作動は全て、この制御手段１Ｂによって制御されるようになっている。
上記血液透析装置１は、本体部１Ａの外部に保持された透析器２と、該透析器２に接続されて血液が流通する血液回路３と、透析器２に接続されて透析液が流通する透析液回路４と、血液回路３と透析液回路４とを接続する補液通路５と、本体部１Ａの上部に設けられた入力表示手段６とを備えている。
入力表示手段６はタッチパネルディスプレイからなり、装置の操作に必要なボタンやアイコン、メッセージおよび入力値や出力値等が表示されるとともに、装置の操作および各種パラメータや設定値の入力操作を行うことができるようになっている（図３参照）。
本実施例の血液透析装置１は、上記補液通路５を備え、清浄化された新鮮な透析液を血液回路３に供給するオンライン機能を備えており、透析液を用いて治療開始前におけるプライミング、治療時における補液、治療終了時における返血を行うことが可能となっている。
後に詳述するが、本実施例は入力表示手段６の表示内容を改良したことが特徴であり、血液浄化処理を実行するための構成は、従来公知の血液透析装置と同じである。そこで、先ず、血液透析装置としての基本的な構成を説明し、その後に表示内容について説明する。
【０００９】
上記透析器２は、樹脂製の外装ケース２Ａと、該外装ケース２Ａの内部に設けた多数の中空糸膜２Ｂとから構成され、上記中空糸膜２Ｂの内部は上記血液回路３と連通して血液が流通し、外装ケース２Ａと中空糸膜２Ｂとの間には上記透析液回路４が連通して透析液が血液とは逆方向に流通するようになっている。
上記血液回路３は、患者の血管に接続されて上記透析器２に血液を供給する動脈側通路７と、透析器２から患者に血液を戻す静脈側通路８とから構成されている。
動脈側通路７には、その一端に患者の血管に穿刺される穿刺針７Ａが設けられるとともに他端が透析器２に接続され、上記穿刺針７Ａから順に、血液を送液する血液ポンプ９、ドリップチャンバ７Ｂとが配置されている。
上記静脈側通路８は、その一端が上記透析器２に接続されるとともに他端に患者の血管に穿刺される穿刺針８Ａが設けられており、上記透析器２の後に、ドリップチャンバ８Ｂが配置されている。
【００１０】
透析液回路４には、透析液を収容する第１透析液チャンバ１１および第２透析液チャンバ１２が備えられており、これら第１透析液チャンバ１１および第２透析液チャンバ１２は、給液通路１３を介して供給される新鮮透析液を収容し、透析液供給通路１４を介して透析器２に供給するとともに、透析器２から排出される使用済み透析液を透析液回収通路１５を介して回収し、排液通路１６を介して装置外に排出するようにしている。
第１透析液チャンバ１１および第２透析液チャンバ１２は同形であり、それぞれ２枚の可撓性のダイアフラムにより内部が３室に区画され、中間室を挟んだ一方を、新鮮透析液を収容するための供給室１１Ａ、１２Ａとし、他方を使用済み透析液を回収するための回収室１１Ｂ、１２Ｂとしている。そして、中間室はシリコーンオイル等の流体を収容する可変容積室１１Ｃ、１２Ｃとして、容積可変ポンプ１７により一方のチャンバの中間室から他方のチャンバの中間室に流体を移動させて、供給室１１Ａ、１２Ａや回収室１１Ｂ、１２Ｂの収容可能量を増減させるようにしている。
【００１１】
第１透析液チャンバ１１および第２透析液チャンバ１２の各供給室１１Ａ、１２Ａには、給液通路１３および透析液供給通路１４をそれぞれ分岐させて接続してあり、給液通路１３の分岐された通路には給液弁Ｖ１、Ｖ２を設け、透析液供給通路１４の分岐された通路には供給弁Ｖ３、Ｖ４を設けている。また、各回収室１１Ｂ，１２Ｂには、透析液回収通路１５および排液通路１６をそれぞれ分岐させて接続してあり、透析液回収通路１５の分岐された通路には回収弁Ｖ５、Ｖ６を設け、排液通路１６の分岐された通路には排液弁Ｖ７、Ｖ８を設けている。
【００１２】
給液通路１３には、上流側から入口弁Ｖ９と、供給される新鮮透析液を送液する給液ポンプ２１と、透析液を加温するヒータ２２と、透析液中の気泡を除去する脱気槽２３とが設けられており、脱気槽２３で除去された気体は、脱気弁Ｖ１０を備えた脱気通路２４により、排液通路１６に排出されるようになっている。
透析液供給通路１４には、上流側から透析液の濃度を検出する濃度センサ２５と、透析液を清浄化する第１透析液フィルタＦ１と、さらに透析液を清浄化する第２透析液フィルタＦ２とが設けられており、第２透析液フィルタＦ２の下流側で第１分岐通路１４Ａと第２分岐通路１４Ｂに分岐した後、再び合流して透析器２に接続されている。
給液通路１３と透析液供給通路１４は、脱気槽２３の下流側と濃度センサ２５の上流側で、連通弁Ｖ１１を備えた連通路２６により連通させており、治療開始前のプライミング時のような透析液を大量に使用する場合に、第１透析液チャンバ１１および第２透析液チャンバ１２を介さずに透析液を送ることができるようになっている。
第１透析液フィルタＦ１は、その一次側と透析液回収通路１５をバイパス弁Ｖ１２を備えたバイパス通路２７で接続しており、濃度センサ２５による透析液の濃度異常検出時など透析器２への透析液の供給を中断させる場合や、第１透析液フィルタＦ１のフィルタ表面の付着物を除去するフラッシング時に、バイパス弁Ｖ１２を開放して透析液回収通路１５に連通させるようにしている。また、第２透析液フィルタＦ２の一次側についても、透析液回収通路１５とフラッシング弁Ｖ１３を備えたフラッシング通路２８で接続しており、第２透析液フィルタＦ２のフィルタ表面の付着物を除去するフラッシング時に、フラッシング弁Ｖ１３を開放するようにしている。
【００１３】
透析液供給通路１４の第１分岐通路１４Ａには第１分岐弁Ｖ１４を設け、第２分岐通路１４Ｂには上流側から第２分岐弁Ｖ１５と第３分岐弁Ｖ１６を設けている。また、第２分岐弁Ｖ１５と第３分岐弁Ｖ１６との間には、補液通路５を接続する接続ポート３１を設けている。
補液通路５には、透析液を送液する補液ポンプ３２が備えられており、補液通路５の下流側の先端は、血液回路３の動脈側通路７のドリップチャンバ７Ｂ、もしくは静脈側通路８のドリップチャンバ８Ｂに接続されている。
第１分岐通路１４Ａおよび第２分岐通路１４Ｂにおいて、第１分岐弁Ｖ１４を開放し、第２分岐弁Ｖ１５と第３分岐弁Ｖ１６を閉鎖した状態では、透析液は透析器２に流通されて補液通路５には流通されない。これに対し、第１分岐弁Ｖ１４を閉鎖し、第２分岐弁Ｖ１５を開放して第３分岐弁Ｖ１６を閉鎖した状態では、透析液は透析器２に流通されず、補液通路５に流通される。また、第１分岐弁Ｖ１４を開放し、第２分岐弁Ｖ１５を開放して第３分岐弁Ｖ１６を閉鎖した状態では、透析液は透析器２と補液通路５の両方に流通される。
【００１４】
透析液回収通路１５には、上流側から、透析器２から使用済み透析液を回収する場合や血液濾過を行う場合に開放する排出弁Ｖ１７と、使用済み透析液を第１透析液チャンバ１１および第２透析液チャンバ１２の各回収室１１Ｂ、１２Ｂに送る送液ポンプ３３と、透析液中の気泡を除去する除気槽３４とが設けられており、除気槽３４で除去された気体は、除気弁Ｖ１８を備えた除気通路３５により、排液通路１６に排出されるようになっている。そして、排液通路１６には出口弁Ｖ１９が備えられ、使用済み透析液を排液するようになっている。
【００１５】
以上のように構成される血液透析装置１においては、給液ポンプ２１の作用により、給液通路１３から第１透析液チャンバ１１の供給室１１Ａに新鮮透析液を供給すると、回収室１１Ｂに収容されていた使用済み透析液は排液通路１６に排出される。これと同時に、送液ポンプ３３の作用により、透析器２から使用済み透析液が排出されて第２透析液チャンバ１２の回収室１２Ｂに回収されると、これに伴い第２透析液チャンバ１２の供給室１２Ａから新鮮透析液が透析器２に供給される。
引き続き、給液弁Ｖ１、Ｖ２と排液弁Ｖ７、Ｖ８および供給弁Ｖ３、Ｖ４と回収弁Ｖ５、Ｖ６の開閉状態を切り換えることで、第２透析液チャンバ１２の供給室１２Ａに新鮮透析液が供給されるとともに、使用済み透析液が回収室１２Ｂから排液され、第１透析液チャンバ１１の供給室１１Ａから透析器２に新鮮透析液が供給されるとともに、使用済み透析液が回収室１１Ｂに回収される。これを交互に繰り返すことで、連続的に透析器２に新鮮透析液を供給するとともに、透析器２から使用済み透析液を回収するようになっている。
また、透析器２から回収室１１Ｂ、１２Ｂに使用済み透析液を回収する際に、容積可変ポンプ１７により一方から他方へ可変容積室１１Ｃ、１２Ｃの流体を移動させて、回収室１１Ｂ、１２Ｂの容積を拡大させる除水動作を行うことにより、透析器２に流通させる新鮮透析液の供給量より使用済み透析液の回収量を多くして、透析膜を介して血液中から余分な水分を除去することができる。
【００１６】
本実施例の血液透析装置１においてＨＤ（血液透析）を行う場合は、第１分岐通路１４Ａの第１分岐弁Ｖ１４を開放し、第２分岐通路１４Ｂの第２分岐弁Ｖ１５および第３分岐弁Ｖ１６を閉鎖して、また排出弁Ｖ１７を開放する。この状態で、血液ポンプ９を作動させて透析器２に血液を流通させながら、送液ポンプ３３の作動により第１透析液チャンバ１１および第２透析液チャンバ１２の供給室１１Ａ、１２Ａから交互に新鮮透析液を透析器２に供給するとともに、回収室１１Ｂ、１２Ｂに使用済み透析液を回収する。これにより、透析器２の中空糸膜２Ｂを介して、血液中の老廃物が透析液に拡散し除去される。この間に除水動作を行うことで、合わせて血液中の余分な水分を除去することができる。
また、ＯＨＦ（オンライン血液濾過）を行う場合は、第１分岐通路１４Ａの第１分岐弁Ｖ１４を閉鎖し、第２分岐通路１４Ｂの第２分岐弁Ｖ１５を開放して第３分岐弁Ｖ１６は閉鎖し、また排出弁Ｖ１７を開放する。この状態で、血液ポンプ９を作動させて透析器２に血液を流通させながら、送液ポンプ３３を作動させて血液を濾過しつつ、透析器２への新鮮透析液の供給は行わずに、補液ポンプ３２を作動させて補液通路５から血液回路３に新鮮透析液を供給する。これにより、血液中の老廃物が濾過されて、第１透析液チャンバ１１および第２透析液チャンバ１２の回収室１１Ｂ、１２Ｂに回収されるとともに、置換液として新鮮透析液を血液に補液することができる。
また、ＯＨＤＦ（オンライン血液透析濾過）を行う場合は、第１分岐通路１４Ａの第１分岐弁Ｖ１４および第２分岐通路１４Ｂの第２分岐弁Ｖ１５をともに開放して第３分岐弁Ｖ１６は閉鎖し、また排出弁Ｖ１７を開放する。この状態で、血液ポンプ９を作動させて透析器２に血液を流通させながら、送液ポンプ３３の作動により新鮮透析液を透析器２に供給するとともに使用済み透析液を回収し、同時に補液ポンプ３２を作動させて補液通路５から血液回路３に新鮮透析液を供給する。これにより、拡散と濾過により血液中の老廃物を除去するとともに、新鮮透析液を血液に補液することができる。
さらに、ＥＣＵＭ（限外濾過）を行う場合は、第１分岐通路１４Ａの第１分岐弁Ｖ１４および第２分岐通路１４Ｂの第２分岐弁Ｖ１５と第３分岐弁Ｖ１６をともに閉鎖し、また排出弁Ｖ１７を開放する。この状態で、血液ポンプ９を作動させて透析器２に血液を流通させながら、給液ポンプ２１を停止させた状態で送液ポンプ３３を作動させ、透析器２に新鮮透析液を供給せず、補液通路５から補液も行わずに除水のみを行い、第１透析液チャンバ１１および第２透析液チャンバ１２の回収室１１Ｂ、１２Ｂに回収する。
【００１７】
図３は、入力表示手段６に表示される設定画面４１の一例を示しており、この設定画面４１では、各処理モードにおける透析液流量と補液流量を設定できるようになっている。設定画面４１には、モード表示部４２、設定表示部４３、ステップ選択ボタン４４、透析液流量設定ボタン４５、補液流量設定ボタン４６、閉じるボタン４７が表示されている。
モード表示部４２は、ＨＤ、ＥＣＵＭ、ＯＨＤＦ、ＯＨＦのうち、現在実行されているモードについて、表示色を異ならせて表示するようになっている。設定表示部４３は、設定された透析液流量と補液流量を図形グラフＧとして棒グラフで表しており、血液浄化処理に要する時間を複数のステップに分割して、ステップ毎の透析液流量と補液流量を、透析液流量グラフＧａと補液流量グラフＧｂで表示している。ステップ選択ボタン４４は、設定表示部４３で表示される複数のステップにおいて設定を行うステップを選択するためのもので、目的のステップ数の表示に触れることで選択され、表示色が変化するようになっている。本実施例では、１〜１２のボタンを表示し、１２ステップに分割した場合を示している。
透析液流量設定ボタン４５、補液流量設定ボタン４６は、それぞれの増加ボタンまたは減少ボタンに触れることで、ステップ選択ボタン４４で選択されているステップの透析液流量および補液流量を増減させるようになっている。設定表示部４３の図形グラフＧは、透析液流量および補液流量の増減に応じて、透析液流量グラフＧａと補液流量グラフＧｂの表示が変更されるようになっている。また、具体的な流量値は、各増減ボタンの上に表示される。
透析液流量は、送液ポンプ３３の作用により、第１透析液チャンバ１１および第２透析液チャンバ１２の供給室１１Ａ、１２Ａから送り出される新鮮透析液の流量を指し、補液流量は、補液ポンプ３２の作用により送液される新鮮透析液の流量を指す。これら透析液流量と補液流量の差分が、透析器２に供給される新鮮透析液の流量となる。図３に示すように、透析液流量グラフＧａに補液流量グラフＧｂを重ねて表示することで、透析液流量における補液流量の割合及びその差分、すなわち透析器２に供給される新鮮透析液の流量の割合が、視覚的に容易に把握することができる。そして、透析液流量設定ボタン４５または補液流量設定ボタン４６で、流量が０となるように入力すると、そのステップでは透析器２または補液通路５に、新鮮透析液が供給されないよう設定される。
入力後は閉じるボタン４７に触れることで、設定画面４１が閉じられるようになっている。このように、透析液流量と補液流量及びその差分の透析器２に供給される分の流量が、１つの画面の設定表示部４３に表示した図形グラフＧで容易に把握され、各流量を確認しながら入力することができるため、作業負担が軽減されるとともに設定ミスを防止することができる。
【００１８】
設定画面４１には他に、設定された補液流量から求めた補液量の総量を示す目標補液量と、現在設定されているステップ数および各ステップの時間が表示されるようになっている。また、透析液流量および補液流量について、複数の設定パターンの図形グラフＧを予め記憶させておくことが可能で、選択画面ボタン４８に触れることで、図４に示すパターン選択画面４９が表示されるようになっている。
本実施例におけるパターン選択画面４９は、図４に示すように３パターンが記憶され表示されるようになっており、このパターン選択画面４９で必要なパターンの図形グラフＧとしての棒グラフに触れることで、その設定パターンが選択される。パターン選択画面４９を閉じると、設定画面４１には、設定表示部４３に選択したパターンの棒グラフＧが表示されるとともに、そのパターンＮＯ．が表示される。なお、記憶する設定パターンの数は、３つに限らずそれ以上であっても良く、必要に応じて増減させることも可能である。
【００１９】
このような設定画面４１により、透析液流量および補液流量を設定する設定方法について説明する。
はじめに、入力表示手段６に表示されているメインメニューから設定画面４１を表示させて、設定画面４１に表示されている選択画面ボタン４８に触れてパターン選択画面４９を表示させ、今回の血液浄化処理に用いる設定パターンを選択する。図３の例ではＮｏ．１のパターンを選択しており、設定表示部４３にＮｏ．１のパターンの図形グラフＧとしての棒グラフが表示されている。
次に、このパターンを利用し、変更を要するステップを対応する番号のステップ選択ボタン４４に触れて選択する。これにより、選択されたステップの番号表示の表示色が変化する。図３の例では１番が選択されており、この状態で透析液流量設定ボタン４５および補液流量設定ボタン４６の増減ボタンに触れて目的の流量を入力する。全ての入力が終わると、閉じるボタン４７に触れて設定画面４１を閉じる。図３の例では、透析器２に透析液を供給するとともに、血液回路３に補液を行うよう設定されているため、モード表示部４２ではＯＨＤＦの部分の表示色が異なっている。
【００２０】
図５は、血液浄化処理の処理モードが途中で切り替わる場合の設定例を示している。このように、ステップ毎に必要なモードに対応する透析液流量と補液流量を設定することにより、途中でモードを切り換えることが可能である。
すなわち、図５の場合は、１〜３のステップは、補液を行わず透析器２への透析液の供給のみを行うＨＤモードとして設定している。この場合は補液流量として０を入力し、透析液流量のみを入力する。続く４〜６のステップは、透析液も補液も供給しないＥＣＵＭモードとして設定している。この場合には、透析液流量、補液流量とも０として入力する。
続く７〜９のステップは、透析液、補液とも供給するＯＨＤＦモードとして設定している。この場合には、透析液流量、補液流量の両方について必要な流量を入力する。さらに続く１０〜１２のステップでは、透析液は供給せずに補液のみ供給するＯＨＦモードとして設定している。この場合には、透析液流量は０を入力し、補液流量について必要な流量を入力する。
このように入力することにより、設定画面４１だけで各モードを設定することができ、血液浄化処理の途中に処理モードを切り換えるように設定することが可能である。
以上においては、血液透析装置１として、装置外から新鮮透析液の供給を受ける透析用監視装置（コンソール）の場合について説明したが、これに限らず、装置内に透析液の作成機能を備えた個人用透析装置であっても、オンライン機能を備えている場合は本発明を適用することができる。
なお、上記設定表示部４３に表示する図形フラグＧとしては、棒グラフの他、円グラフやドーナツ形状のグラフ等、透析液流量と補液流量を視覚的に把握できる表現形態であれば、様々な図形のグラフを採用することができる。
【符号の説明】
【００２１】
１‥血液透析装置                    ２‥透析器
３‥血液回路                        ４‥透析液回路
５‥補液通路                        ６‥入力表示手段
４１‥設定画面                      Ｇ‥図形グラフ
【図１】
0006628033.tif 000002
【図２】
0006628033.tif 000003
【図３】
0006628033.tif 000004
【図４】
0006628033.tif 000005
【図５】
0006628033.tif 000006